(57)【要約】【課題】デジタル地上波放送受信装置にアナログ放送も受信できるようにして回路の共通化を図ると共に、アナログ放送受信で必要とした様々なフィルタを少なくする回路構成にして、回路の簡素化及び小型化を図る。【解決手段】受信したＲＦの信号を周波数変換する周波数変換手段と、この周波数変換手段により得られた信号を９０度の位相を持った２つのＩ、Ｑ信号にして出力する直交復調手段と、この直交復調手段により得られたＩ，Ｑ信号の直交波周波数を多重分割して復調するデジタル復調手段とを備えたデジタル放送受信装置であって、直交復調手段により得られたＩ、Ｑ信号を入力してアナログ復調するアナログ放送受信装置を備える。【選択図】　　図１
2004015085.tif 000002
【特許請求の範囲】
【請求項１】
受信したＲＦの信号を周波数変換する周波数変換手段と、該周波数変換手段により得られた信号を９０度の位相を持った２つのＩ、Ｑ信号にして出力する直交復調手段と、直交復調手段により得られたＩ，Ｑ信号の直交波周波数を多重分割して復調するデジタル復調手段とを備えたデジタル放送受信装置であって、
前記直交復調手段により得られたＩ、Ｑ信号を入力してアナログ復調するアナログ放送受信装置を備えたことを特徴とするＴＶ放送受信装置。
【請求項２】
前記周波数変換手段を構成する初段フィルタは、別途のＲＦコネクタに内蔵するようにしたことを特徴とする請求項１に記載のＴＶ放送受信装置。
【発明の詳細な説明】
【０００１】
【発明の属する技術分野】
本発明は、ＴＶ放送受信装置に関し、詳しくはデンジタル放送専用のデジタル放送受信装置に、ＲＦ信号を受信する受信部分を共通化してアナログ放送を受信できるアナログ放送受信装置を備えたＴＶ放送受信装置に関する。
【０００２】
【従来の技術】
従来技術におけるアナログ地上波を受信するＴＶ放送受信装置を構成するアナログ地上波チューナは、図７示すように、ＲＦ信号のＶＨＦ−Ｌ帯、ＶＨＦ−Ｈ帯、ＵＨＦ帯の放送を受信する受信部１１０と、受信部１１０で受信した信号を切替えるスイッチＳＷ（１２０）と、スイッチＳＷ（１２０）で切替えた信号を通過させる出力段フィルタ１２１と、出力段フィルタ１２１を通過した信号を増幅する増幅器１２２と、増幅したＩＦ信号を入力し、その圧電効果によって、くし電極の間隔を１周期とする振動が表面弾性波になって、他方のくし電極に伝播し、電気信号となって出力するＳＡＷＦ（Ｓｕｒｆａｃｅ　Ａｃｏｕｓｔｉｃ　Ｗａｖｅ　Ｆｉｌｔｅｒ；表面弾性波フィルタ）１２３と、ＳＡＷＦ１２３で得られた信号の利得制御をするＡＧＣ増幅器１２４と、ＡＧＣ増幅器１２４を制御するＡＧＣ制御コントローラ１２７と、９０度位相する９０度位相器１２５と、この９０度位相器１２５により９０度位相された信号を生成する混合器１２６と、９０度位相した信号と電圧制御発振器（ＶＣＯ）１２８からの信号とを混合する混合器１３０と、混合器１２６からの信号を減衰させてドット妨害を軽減させるトラップ１３１と、トラップされた信号を増幅してビデオ信号を出力する増幅器１３２と、混合器１２６からの信号の所定の帯域を通過するバンドパスフィルタＢＰＦ（１３３）と、バンドバスフィルタＢＰＦ（１３３）を通過した信号をＦＭ復調してサウンド信号を出力するＦＭデモジュレータ１３４とからなる。
【０００３】
９０度位相する９０度位相器１２５には、ＡＧＣ増幅器１２４からの利得制御された信号に加えて電圧制御発振器（ＶＣＯ）１２８で制御され、フィルタ１２９を通過した信号が混合器１３０で混合され、９０度位相器１２５に重畳される構成になっている。
【０００４】
受信部１１０は、ＲＦ信号を受信する初段フィルタ１１１と、この初段フィルタ１１１でフィルタリングされた信号の利得制御をするＡＧＣ増幅器１１２と、所定の信号を通過させる段間フィルタ１１３と、段間フィルタ１１３を通過した信号をオシレータ１１５からの同期信号に同期させる混合器１１４とからなり、混合器１１４からの出力信号がスイッチＳＷ（１２０）に出力される。
【０００５】
このような構成からなるアナログ地上波チューナにおいては、ＲＦ信号を増幅した後にＩＦ信号にしてから利得制御等の処理をしてビデオ信号及びサウンド信号を生成する構成になっており、その処理を行うに際し、様々なフィルタ、例えば、初段フィルタ１１１、段間フィルタ１１３、出力段フィルタ１２１、フィルタ１２９、バンドパスフィルタ１３３等が存在する。
【０００６】
一方、デジタル地上波チューナは、図８に示すように、ＲＦ信号のＶＨＦ−Ｌ帯、ＶＨＦ−Ｈ帯、ＵＨＦ帯の放送を受信する受信部１４１と、受信部１４１で受信した信号を切替えるスイッチＳＷ（１４７）と、スイッチＳＷ（１４７）で切替えた信号を通過させる出力段フィルタ１４８と、出力段フィルタ１４８を通過した信号を増幅する増幅器１４９と、増幅したＩＦ信号を入力し、その圧電効果によって、くし電極の間隔を１周期とする振動が表面弾性波になって、他方のくし電極に伝播し、電気信号となって出力する第１のＳＡＷＦ（ＳｕｒｆａｃｅＡｃｏｕｓｔｉｃ　Ｗａｖｅ　Ｆｉｌｔｅｒ；表面弾性波フィルタ）１５０と、第１のＳＡＷＦ１５０で得られた信号をＡＧＣコントローラ１５４の制御信号により利得制御をする第１のＡＧＣ増幅器１５１と、利得制御された信号を再度表面弾性波にして電気信号を出力する第２のＳＡＷＦ１５２と、第２のＳＡＷＦ１５２で得られた信号をＡＧＣコントローラ１５４の制御信号により利得制御をする第２のＡＧＣ増幅器１５３と、第２のＡＧＣ増幅器１５３で増幅された信号をオシレータの同期信号に同期させる混合器１５５と、同期した信号を増幅する増幅器１５７と、増幅した信号を復調するデジタル復調器１５８とからなる。
【０００７】
デジタル復調器１５８は、増幅した信号をオシレータ１６６の同期信号に同期させる第１の混合器１５９と、増幅した信号を９０度位相器１６５により９０度位相させるようにする第２の混合器１６０と、第１の混合器１５９からの同期された信号をデジタル信号に変換する第１のＡ／Ｄ変換器１６１と、デジタル信号を増幅してＩ信号として出力する第１の増幅器１６２と、第２の混合器１６０からの９０度位相された信号をデジタル信号に変換する第２のＡ／Ｄ変換器１６３で変換されたデジタル信号を増幅してＱ信号として出力する第２の増幅器１６４とからなる。
【０００８】
受信部１４１は、ＲＦ信号を受信する初段フィルタ１４２と、初段フィルタ１４２でフィルタリングされた信号の利得制御をするＡＧＣ増幅器１４３と、所定の信号を通過される段間フィルタ１４４と、段間フィルタ１４４を通過した信号をオシレータ１４６からの同期信号に同期させる混合器１４５とからなり、混合器１４５からの出力信号がスイッチＳＷ（１４７）に出力される。
【０００９】
このような構成からなるデジタル地上波チューナにおいては、ＲＦ信号をＩＦ変調した後に、このＩＦ信号を直交復調してＩ、Ｑ信号を生成し、このＩ、Ｑ信号による検波を行う。
【００１０】
【発明が解決しようとする課題】
しかしながら、従来技術におけるアナログ信号受信装置、例えば、ＴＶ放送受信装置は、希望の信号を良好に受信するため、復調の際に妨害となって現れやすい近傍の不要な受信しない信号成分を十分に減衰させる必要があった。
このため、受信機ではいろいろなフィルタを何種類も使用しなくてはならなかった。又、これらのフィルタの中には受信周波数に連動して特性の変化するようなものや、単純なＬＣ、ＲＣ等で構成不可能な特殊なものが必要であるという問題がある。
【００１１】
又、アナログＴＶ信号の復調は一端ＩＦ周波数に変換し、その信号をＡＭ検波する方式が周知である。このような背景で使われているＲＦコネクタは単にＲＦケーブルと機器の接続のためにのみ使用されていた関係で単にメカ構造のみで特殊な機能は何も付加されていないという問題もある。
【００１２】
従って、デジタル放送受信装置であっても、回路が共通に使え、且つＲＦ信号を復調できるアナログ放送受信装置を備えることができるＴＶ放送受信装置に解決しなければならない課題を有する。
【００１３】
【課題を解決するための手段】
上記課題を達成するために、本発明に係るＴＶ放送受信装置は、次に示す構成にすることである。
【００１４】
（１）ＴＶ放送受信装置は、受信したＲＦの信号を周波数変換する周波数変換手段と、該周波数変換手段により得られた信号を９０度の位相を持った２つのＩ、Ｑ信号にして出力する直交復調手段と、直交復調手段により得られたＩ，Ｑ信号の直交波周波数を多重分割して復調するデジタル復調手段とを備えたデジタル放送受信装置であって、前記直交復調手段により得られたＩ、Ｑ信号を入力してアナログ復調するアナログ放送受信装置を備えたことである。
（２）又、前記周波数変換手段を構成する初段フィルタは、別途のＲＦコネクタに内蔵するようにしたことを特徴とする（１）に記載のＴＶ放送受信装置である。
【００１５】
【発明の実施の形態】
次に、本発明に係るＴＶ放送受信装置の実施形態について、図面を参照して説明する。
【００１６】
本願発明の実施例を説明する前に、時代的背景を説明すると、世界各国でサービスが始まっているデジタル放送の場合は変調されている信号が０、１のデータであるため、アナログ信号の復調より妨害に強いといった性質があり、一般的にデジタル方法の検波にはＩ、Ｑ出力を伴う、直交復調方式が用いられている。
このＩ、Ｑ出力をする直交復調方式の特徴は今までのアナログ復調時初段の復調前に必要であった様々なフィルタを検波後にベースバンド上でデジタルフィルタを使用して構成することが可能になるというものである。
【００１７】
このため、チューナは今まで沢山あったフィルタを著しく簡略化することが可能になる。現時点ではまだ始まったばかり、多少のフィルタ関係はまだ使用されたままになっているが、最終的な形態ではＲＦ段のフィルタはバンドパスのようなもの１つで十分機能するようになることが容易に予想できる。即ち、このような背景化においては、ＲＦ初段のフィルタリングが簡略化されていくことが容易に予想できるのである。
【００１８】
しかし、ＲＦコネクタはケーブルとの接続上取り去ることができない。従って、ＲＦコネクタ内に必要最小限のフィルタを構成して組み合わせることでチューナの回路規模、コストを削減することが可能となる。
このＲＦコネクタ内に内蔵するフィルタは初段で必要とされる簡易的なもの、例えば、ローパスフィルタ（ＬＰＦ；Ｌｏｗ　Ｐａｓｓ　Ｆｉｌｔｅｒ）、バンドパスフィルタ（ＢＰＦ；Ｂａｎｄ　Ｐａｓｓ　Ｆｉｌｔｅｒ）などがある。
ＢＰＦの場合は、図５に示すように、Ａ及びＢの部分に特殊な誘電率の物質を使うことで容量を形成し、芯線側は途中に抵抗或いは積層コイル等を挿入することによりＢＰＦが形成できる。
【００１９】
次に、アナログ放送受信機の現状では、ＩＦ信号に変化して、その後にアナログ信号のＡＭ検波を行っている。この方式では他信号の妨害を受けないようにするために非常に多くのフィルタが必要である。
従って、この方式のままではフィルタ内蔵ＲＦコネクタを利用するメリットがないだけでなく、これから始まる地上波デジタル放送用チューナ（受信機）との共通設計ができない。
【００２０】
そこで、アナログ放送受信用チューナは９０度の位相差を付けた２つの信号（Ｉ、Ｑ信号）を利用してアナログ復調させる方式とすることで、上記の欠点が解消され、更に、▲１▼アナログ放送受信機でもフィルタを簡略化することが可能となり、▲２▼デジタル、アナログ共用チューナを１つのチューナで実現することが可能になるというメリットがある。
【００２１】
Ｉ、Ｑ信号の直交復調方式を用いて、アナログ、デジタル共用チューナを構成する場合のＲＦアナログ部の回路例は、図４に示すように、ＲＦ信号を周波数変換する周波数変換器１０６と、その周波数変換器１０６の出力側を９０度の位相を持って混合する混合器１０７の出力をＩ信号とし、周波数変換器１０６からの出力をオシレータ１０８からの同期信号に同期させる混合器１０９の出力をＱ信号とする回路構成である。
【００２２】
尚、このＩ、Ｑ信号を生成する直交復調は既存の技術であり、この特徴はＲＦの信号を周波数変換すると同時に９０度の位相差を持った２つの出力信号（Ｉ、Ｑ信号）を出力することができる。こうすることにより、Ｉ、Ｑ信号の出力にデジタル復調器、アナログ復調器をつなぐことで、デジタル、アナログ放送を同一回路で処理することが可能になる。以下、その具体例を説明する。
【００２３】
図１は、デジタル放送及びアナログ放送共用のＴＶ放送受信装置の構成をイメージ的に示したものであり、ＲＦ信号を入力して周波数変換及び直交復調をする共通受信部１１と、共通受信部１１からのＩ、Ｑ信号を入力してデジタル復調するデジタル放送受信部２１と、共通受信部１１からのＩ、Ｑ信号を入力してアナログ復調するアナログ放送受信部３１とからなる。
【００２４】
共通受信部１１は、ＲＦ信号を周波数変換する周波数変換部１２と、周波数変換された信号をＩ、Ｑ信号に復調する直交復調部１５とから構成されている。
周波数変換部１２は受信したＲＦ信号を周波数変換するチューナ１３と、周波数変換された信号を増幅する増幅器１４とからなる。
直交復調部１５は、増幅された信号をオシレータＯＳＣ（１６）からの同期信号に同期し且つ９０度位相させる９０度位相器１７により位相させてＩ信号を出力する第１の混合器１８と、増幅された信号をオシレータＯＳＣ（１６）の同期信号に同期させＱ信号として出力する第２の混合器１９とからなる。
【００２５】
デジタル放送受信部２１は、共通受信部１１からのＩ信号のうち所定の周波数を通過させる第１のローパスフィルタＬＰＦ（２２）と、この第１のローパスフィルタＬＰＦ（２２）からの信号を増幅する第１の増幅器２３と、共通受信部１１からのＱ信号のうち所定の周波数を通過させる第２のローパスフィルタＬＰＦ（２４）と、この第２のローパスフィルタＬＰＦ（２４）からの信号を増幅する第２の増幅器２５と、第１及び第２の増幅器２３、２５からの信号をデジタル値に変換するＡ／Ｄ変換器２６と、デジタル値にされた信号を低速で狭帯域なデータ信号に変換し周波数軸上で並列にし、更に直交性を利用して周波数軸上でのオーバーラップを許容してデジタル信号を出力する直交周波数多重分割（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）部２７とからなる。
【００２６】
アナログ放送受信部３１は、共通受信部１１で得られたＩ、Ｑ信号を入力し、その信号をプログラマブルフィルタ３２を通過させてＦＭ／ＡＭ３３の復調及びその他のアナログ放送を復調する構成になっている。
【００２７】
このような構成によるＴＶ放送受信装置においては、共通受信部１１でＲＦ信号を受信し、その信号を先ずＩ、Ｑ信号に復調し、デジタル放送受信部２１がその復調された信号を取り込んで復調し、且つアナログ放送受信部３１も同様に復調されたＩ、Ｑ信号を取り込んで復調するようにしたことにより、デジタル放送受信部２１の機能に現存のアナログ放送を取り込みことが単体のユニットで実現することが可能になる。
【００２８】
又、ＲＦ信号をＩ、Ｑ信号にしてアナログ及びデジタル放送の復調に使用するようにすると、アナログ放送を受信する際に必要であった様々なフィルタが不要になる。具体的には、ＲＦ信号を受信するところの初段フィルタのみでよくなる。そうすると、この初段フィルタのみが放送を受信する際に必ず必要とするフィルタとなる。
一方、ＴＶ放送受信装置は必ずＲＦコネクタが必要であるから、この単純化した初段フィルタをＲＦコネクタに内蔵した構成にすれば、装置の設計段階で初段フィルタを取り付ける必要性がなくなり、その分小型化やスペースを確保することが可能になり設計し易くなるという大きなメリットがある。
初段フィルタをＲＦコネクタに内蔵するためには、フィルタの構造を考慮する必要がある。上述したように、このＲＦコネクタ内に構成するフィルタは初段で必要とされる簡易的なもの、例えば、ローパスフィルタ（ＬＰＦ：Ｌｏｗ　Ｐａｓｓ　Ｆｉｌｔｅｒ）、バンドパスフィルタ（ＢＰＦ：Ｂａｎｄ　Ｐａｓｓ　Ｆｉｌｔｅｒ）などがある。
バンドパスフィルタＢＰＦの場合は、図５に示すように、Ａ及びＢの部分に特殊な誘電率の物質を使うことで容量を形成し、芯線側は途中に抵抗或いは積層コイル等を挿入することによりバンドパスフィルタが形成できる。
又、その他の例として、図６に示すコイル（Ｌ）及び抵抗（Ｒ）、コンデンサ（Ｃ）を組み合わせた等価回路によるフィルタも考えられる。
【００２９】
図２は、ＲＦコネクタに初段フィルタを内蔵させた構成のＴＶ放送受信装置を示したものであり、その構成は、ＲＦ信号を入力するＲＦコネクタ４１と、このＲＦコネクタ４１に接続し、ＲＦ信号の利得制御して増幅するＡＧＣ増幅器４３と、増幅した信号を直交復調する直交復調器４５とからなる共通受信部４６と、共通受信部４６からのＩ、Ｑ信号を入力してデジタル復調するデジタル放送受信部６１と、共通受信部４６からのＩ、Ｑ信号を入力してアナログ復調するアナログ放送受信部７１とからなる。
ここで、初段フィルタ４２を内蔵したＲＦコネクタ４１が接続されることにより初段フィルタ４１とＡＧＣ増幅器４３が接続されて周波数変換器４４を構成する。
【００３０】
共通受信部４６の直交復調器４５は、前段のＡＧＣ増幅器４３で増幅された信号をオシレータＯＳＣ（４７）の同期信号に同期させＩ信号として出力する第１の混合器４８と、同じく前段のＡＧＣ増幅器４３で増幅された信号を９０度位相させる９０度位相器４９により位相させてＱ信号を出力する第２の混合器５０と、第１の混合器４８からの信号をデジタル信号に変換する第１のＡ／Ｄ変換器５１と、第２の混合器５０からの信号をデジタル信号に変換する第２のＡ／Ｄ変換器５２とから構成されている。
【００３１】
デジタル放送受信部６１は、デジタル復調器６２を備えており、このデジタル復調器６２は、共通受信部４６からのＩ信号のうち所定の周波数を通過させる第１のローパスフィルタＬＰＦ（６３）と、この第１のローパスフィルタＬＰＦ（６３）からの信号を増幅する第１の増幅器６４と、共通受信部４６からのＱ信号のうち所定の周波数を通過させる第２のローパスフィルタＬＰＦ（６５）と、この第２のローパスフィルタＬＰＦ（６５）からの信号を増幅する第２の増幅器６６と、第１及び第２の増幅器６４、６６からの信号をデジタル値に変換するＡ／Ｄ変換器６７と、デジタル値にされた信号を低速で狭帯域なデータ信号に変換し周波数軸上で並列にし、更に直交性を利用して周波数軸上でのオーバーラップを許容してデジタル信号を出力する直交周波数多重分割（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）部６８とからなる。
【００３２】
アナログ放送受信部７１は、共通受信部４６で得られたＩ、Ｑ信号を入力し、その信号をプログラマブルフィルタ７２を通過させてビデオ信号とサウンド信号を出力する構成になっている。
このプログラマブルフィルタ７２は、共通受信部４６からのＩ信号のうち所定の周波数を通過させる第１のローパスフィルタＬＰＦ（７３）と、この第１のローパスフィルタＬＰＦ（７３）からの信号を増幅する第１の増幅器７４と、共通受信部４６からのＱ信号のうち所定の周波数を通過させる第２のローパスフィルタＬＰＦ（７５）と、この第２のローパスフィルタＬＰＦ（７５）からの信号を増幅する第２の増幅器７６と、第１及び第２の増幅器７４、７６からの信号をデジタル値に変換するＡ／Ｄ変換器７７と、デジタル値にされた信号を所定の帯域のみ通過させてビデオ信号とサウンド信号を出力するフィルタ７８とからなる。
【００３３】
このような構成からなるＲＦコネクタ４１を接続することによりＲＦ信号を受信して周波数変換する周波数変換器４４を構成するＴＶ放送受信装置は、既述したように、初段フィルタ４２をＲＦコネクタ４１に内蔵させた構成にしたことにより、その分コンパクト化し、且つ小型化にすることができると共に、回路設計においてもフィルタの構成を考慮する必要がなくなるため簡略化することができる。
【００３４】
図３は、ＲＦ信号をＩＦ変調した後に、このＩＦ信号を直交復調して、デジタル放送受信とアナログ放送受信で使用するようにしたＴＶ放送受信装置であり、その構成は、ＲＦ信号のＶＨＦ−Ｌ帯、ＶＨＦ−Ｈ帯、ＵＨＦ帯の放送を受信する受信部８１と、受信部８１で受信した信号を切替えるスイッチＳＷ（８７）と、スイッチＳＷ（８７）で切替えた信号を通過させる出力段フィルタ８８と、出力段フィルタ８８を通過した信号を増幅する増幅器８９と、増幅したＩＦ信号を入力し、Ｉ、Ｑ信号を生成する直交復調器９０と、ＩＦ変調されたＩ、Ｑ信号を入力してデジタル復調するデジタル放送受信部９７と、ＩＦ変調されたＩ、Ｑ信号を入力してアナログ復調するアナログ放送受信部１０５とからなる。
【００３５】
受信部８１は、ＲＦ信号を受信する初段フィルタ８２と、初段フィルタ８２でフィルタリングされた信号の利得制御をするＡＧＣ増幅器８３と、所定の信号を通過させる段間フィルタ８４と、段間フィルタ８４を通過した信号をオシレータ８５からの同期信号に同期させる混合器８６とからなり、混合器８６からの出力信号がスイッチＳＷ（８７）に出力される。
【００３６】
直交復調器９０は、ＩＦ信号をオシレータＯＳＣ（９１）の同期信号に同期させＩ信号として出力する第１の混合器９２と、同じくＩＦ信号を９０度位相させる９０度位相器９３により位相させてＱ信号を出力する第２の混合器９４と、第１の混合器９２からの信号をデジタル信号に変換する第１のＡ／Ｄ変換器９５と、第２の混合器９４からの信号をデジタル信号に変換する第２のＡ／Ｄ変換器９６とから構成されている。
【００３７】
デジタル放送受信部９７は、デジタル復調器９８を備えており、このデジタル復調器９８は、直交復調器９０からのＩ信号のうち所定の周波数を通過させる第１のローパスフィルタＬＰＦ（９９）と、この第１のローパスフィルタＬＰＦ（９９）からの信号を増幅する第１の増幅器１００と、直交復調器９０からのＱ信号のうち所定の周波数を通過させる第２のローパスフィルタＬＰＦ（１０１）と、この第２のローパスフィルタＬＰＦ（１０１）からの信号を増幅する第２の増幅器１０２と、第１及び第２の増幅器１００、１０２からの信号をデジタル値に変換するＡ／Ｄ変換器１０３と、デジタル値にされた信号を低速で狭帯域なデータ信号に変換し周波数軸上で並列にし、更に直交性を利用して周波数軸上でのオーバーラップを許容してデジタル信号を出力する直交周波数多重分割（ＯＦＤＭ：Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）部１０４とからなる。
【００３８】
アナログ放送受信部１０５は、直交復調器９０で得られたＩ、Ｑ信号を入力し、その信号をプログラマブルフィルタ１０６を通過させてビデオ信号とサウンド信号を出力する構成になっている。
【００３９】
このように構成されたＴＶ放送受信装置において、先ず、選局の部分の受信部８１は従来の回路をそのまま採用することができ、ＩＦ変調した後に、そのＩＦ信号をＩ、Ｑ信号にしてデジタル放送及びアナログ放送で使用することができる。このようにすると、ＩＦ信号を生成するまでの回路は既存の回路構成を利用することが可能で、そのぶん回路設計は簡略化することができる。
【００４０】
【発明の効果】
上記説明したように、本発明に係るＴＶ放送受信装置は、ＲＦ信号を直交復調し、その直交復調したＩ、Ｑ信号を使用してデジタル放送及びアナログ放送を同一回路構成で処理することが可能になり、アナログ及びデジタルのチューナ部分を単体構成にすることができるという効果がある。
【００４１】
又、ＲＦ信号を直交復調する構成にして共有化を図ることにより、アナログ放送の受信で必要であった様々なフィルタが不要になり、特に初段フィルタはＲＦコネクタに内蔵させるようにすると、その分回路に搭載する必要がなくなり、小型化及び回路構成の簡略化を図ることができるという効果もある。
【図面の簡単な説明】
【図１】本発明に係るＴＶ放送受信装置の概念図である。
【図２】同初段フィルタをＲＦコネクタに内蔵させた構成にしたＴＶ放送受信装置の概念図である。
【図３】同ＩＦ信号までの回路を既存の回路構成にして、アナログとデジタルを共有にしたＴＶ放送受信装置の概念図である。
【図４】同直交復調する際の回路の概念図である。
【図５】同誘電率の異なる物質でバンドパスフィルタを形成する説明図である。
【図６】同抵抗、コンデンサ、コイルで構成するフィルタを示した等価回路を示す説明図である。
【図７】従来技術におけるアナログ地上波チューナの構成を示す説明図である。
【図８】従来技術におけるデジタル地上波チューナの構成を示す説明図である。
【符号の説明】
１１；共通受信部、１２；周波数変換部、１３；チューナ、１４；増幅器、１５；直交復調部、１６；オシレータ、１７；９０度位相器、１８；混合器、１９；混合器、２１；デジタル放送受信部、２２；第１のローパスフィルタ（ＬＰＦ）、２３；第１の増幅器、２４；第２のローパスフィルタ（ＬＰＦ）、２５；第２の増幅器、２６；Ａ／Ｄ変換器、２７；直交周波数多重分割（ＯＦＤＭ）部、３１；アナログ放送受信部、３２；プログラマブルフィルタ、３３；ＦＭ／ＡＭ、４１；ＲＦコネクタ、４２；初段フィルタ、４３；ＡＧＣ増幅器、４４；周波数変換器、４５；直交復調器、４６；共通受信部、４７；オシレータ（ＯＳＣ）、４８；混合器、４９；９０度位相器、５０；混合器、５１；第１のＡ／Ｄ変換器、５２；第２のＡ／Ｄ変換器、６１；デジタル放送受信部、６２；デジタル復調器、６３；第１のローパスフィルタ、６４；第１の増幅器、６５；第２のローパスフィルタ、６６；第２の増幅器、６７；Ａ／Ｄ変換器、６８；直交周波数多重分割（ＯＦＤＭ）部、７１；アナログ放送受信部、７２；プログラマブルフィルタ、７３；第１のローパスフィルタ、７４；第１の増幅器、７５；第２のローパスフィルタ、７６；第２の増幅器、７７；Ａ／Ｄ変換器、７８；フィルタ、８１；受信部、８２；初段フィルタ、８３；ＡＧＣ増幅器、８４；段間フィルタ、８５；オシレータ、８６；混合器、８７；スイッチ（ＳＷ）、８８；出力段フィルタ、８９；増幅器、９０；直交復調器、９１；オシレータ、９２；第１の混合器、９３；９０度位相器、９４；第２の混合器、９５；第１のＡ／Ｄ変換器、９６；第２のＡ／Ｄ変換器、９７；デジタル放送受信部、９８；デジタル復調器、９９；第１のローパスフィルタ（ＬＰＦ）、１００；第１の増幅器、１０１；第２のローパスフィルタ（ＬＰＦ）、１０２；第２の増幅器、１０３；Ａ／Ｄ変換器、１０４；直交周波数多重分割（ＯＦＤＭ）部。
【図１】
2004015085.tif 000003
【図２】
2004015085.tif 000004
【図３】
2004015085.tif 000005
【図４】
2004015085.tif 000006
【図５】
2004015085.tif 000007
【図６】
2004015085.tif 000008
【図７】
2004015085.tif 000009
【図８】
2004015085.tif 000010